(57)【特許請求の範囲】
【請求項１】
遊技台の脇に遊技媒体を貸出すユニットを設けてなる遊技媒体貸出し装置において、
前記ユニットを嵌め込む枠体と、前記枠体に対して前記ユニットを着脱可能に支持するユニット支持手段とを備え、
前記ユニット支持手段は、前記ユニットの前方側から操作される操作部を備え、
前記ユニットの支持は、前記操作部を操作することにより解除されるものであり、
更に前記ユニット支持手段は、前記枠体に対してスライド可能に設けられたフックと、
前記ユニットに設けられたフック係止部とを備えるとともに、前記操作部は、前記フックをスライドさせるレバーを前記遊技台及び前記ユニットの隙間に配置してなることを特徴とする遊技媒体貸出し装置。
【発明の詳細な説明】
【０００１】
【発明の属する技術分野】
本発明は、遊技台の脇に遊技媒体を貸出すユニットを設けてなる遊技媒体貸出し装置に関し、例えばパチンコの玉貸機や、スロットマシンのメダル貸機として利用されるものである。
【０００２】
【従来の技術】
パチンコ店においては、複数のパチンコ台を列設してなる島が構築され、パチンコの玉貸機は、各パチンコ台の脇、つまりパチンコ台とパチンコ台の間にそれぞれ薄幅のユニット（通称台毎サンド）を設けて構成されている。
【０００３】
パチンコ玉は、各ユニットにそれぞれ供給され、各ユニットは、紙幣、硬貨、プリペイドカード等が投入されることにより、所定個数のパチンコ玉をパチンコ台にもたらす構成となっている。
【０００４】
また、このようなユニットの構成は、スロットマシンのメダル貸機にも利用されている。つまり、スロットマシン台の脇にはそれぞれユニットが設けられ、各ユニットは、紙幣、硬貨、プリペイドカード等が投入されることにより、所定枚数のメダルを貸出す構成となっている。
【０００５】
尚、玉貸機やメダル貸機の構成は、例えば特開平９−６６１５３、特開２０００−１０７３４７、特開２０００−１８９６５９、特開２００１−１４５７７１等にも記載されている。
【０００６】
【発明が解決しようとする課題】
ところで、前述した玉貸機やメダル貸機のように、遊技台の脇にユニットを設けてなる遊技媒体貸出し装置は、かかるユニットを取り外してメンテナンスが行われる。
【０００７】
通常、この種の遊技媒体貸出し装置は、ユニットを嵌め込む枠体と、枠体に対してユニットを着脱可能に支持するユニット支持手段とを備え、ユニットの取り外しは、ユニット支持手段の操作部を操作してなされる。
【０００８】
しかしながら、このようなユニット支持手段の操作部は、専らユニットの背部に設けられいる。このため、ユニットの取り外しは、ユニットの後ろに手を伸ばす必要があり、非常に面倒な作業であった。
【０００９】
例えば、パチンコの玉貸機の場合は、パチンコ台の前扉を開き、そこから手を伸ばして操作部を操作する。
【００１０】
また、スロットマシンのメダル貸機の場合は、スロットマシン台の内部が密閉型の筐体で囲われているため、スロットマシン台の前扉を開いても、ユニットの後ろには手が届かないという不都合もある。
【００１１】
本発明は、このような事情に鑑みてなされたものであり、遊技台の脇に設けられたユニットを簡単に取り外すことができる遊技媒体貸出し装置を提供することを目的としている。
【００１２】
【課題を解決するための手段】
本願第１請求項に記載した発明は、遊技台の脇に遊技媒体を貸出すユニットを設けてなる遊技媒体貸出し装置において、前記ユニットを嵌め込む枠体と、前記枠体に対して前記ユニットを着脱可能に支持するユニット支持手段とを備え、前記ユニット支持手段は、前記ユニットの前方側から操作される操作部を備え、前記ユニットの支持は、前記操作部を操作することにより解除されるものであり、更に前記ユニット支持手段は、前記枠体に対してスライド可能に設けられたフックと、前記ユニットに設けられたフック係止部とを備えるとともに、前記操作部は、前記フックをスライドさせるレバーを前記遊技台及び前記ユニットの隙間に配置してなる遊技媒体貸出し装置である。
【００１３】
このような構成によると、遊技台の脇に設けられたユニットを簡単に取り外すことが可能となる。すなわち、ユニットの取り外しは、従来では、ユニットの後ろに手を伸ばす必要があり、非常に面倒な作業であったところ、本発明では、ユニットの前方側から操作される操作部を備えたので、ユニットの後ろに手を伸ばさずとも、かかる操作部を操作してユニットの支持を解除することが可能である。従って、ユニットを取り外す作業は容易化され、メンテナンス作業の効率向上が達成される。
【００１４】
更に、本願発明は、前記ユニット支持手段は、前記枠体に対してスライド可能に設けられたフックと、前記ユニットに設けられたフック係止部とを備えるとともに、前記操作部は、前記フックをスライドさせるレバーを前記遊技台及び前記ユニットの隙間に配置してなる構成の遊技媒体貸出し装置であり、このような構成によると、操作部は合理的に構成される。
【００１５】
すなわち、ユニット支持手段のフックは、レバーを操作することにより、枠体に対してスライドし、フック係止部から外脱する。また、かかるレバーは、遊技台及びユニットの隙間に配置することにより、ユニットの前方側から操作可能とされる。
【００１６】
【発明の実施の形態】
以下に、本発明の具体例を図面に基づいて詳細に説明する。
【００１７】
図１乃至図５に示すように、本例の遊技媒体貸出し装置１は、複数のパチンコ台Ｐを列設してなる島に設けられたパチンコの玉貸機であり、遊技台たるパチンコ台Ｐの脇に、遊技媒体たるパチンコ玉を貸出すユニット１００を設けて構成されている。
【００１８】
また、本遊技媒体貸出し装置１は、ユニットを嵌め込む枠体２００と、枠体２００に対してユニット１００を着脱可能に支持するユニット支持手段３００とを備え、メンテナンスを行う際は、ユニット１００を枠体２００から取り外す構成となっている。
【００１９】
本例のユニット１００は、金属製のケースの内部に所要の玉管理機構、制御回路、紙幣識別機、硬貨識別機、及びリーダ／ライタ等を備えたものであり、紙幣、硬貨、及びプリペイドカードをそれぞれケース正面に設けられた投入口から投入することにより、ノズル１１０を介して金額に応じた所定個数のパチンコ玉をパチンコ台の上皿にもたらす構成となっている。尚、図例したノズル１１０は、基端部を中心に上下及び左右に回動可能となっており、その先端部がパチンコ台の上皿に装着される。また、図中の１２０は、タッチパネル式の液晶テレビである。遊技客は、ユニット１００に装備された液晶テレビ１２０にて、パチンコをしながら好みのチャンネルを任意に観賞することができる。
【００２０】
更に、ユニット１００を枠体２００に嵌め込むと、ユニット１００には、パチンコ玉を供給する供給手段４００と、電源及び通信回線等の端子を設けたコネクタ５００とが接続される。つまり、パチンコ玉は、供給手段４００からユニット１００へ自動供給される。また、ユニット１００は、コネクタを接続することによって電源を得るとともに、外部の中央制御部と所定の情報を送受信する構成となっている。
【００２１】
枠体２００は、島の台座等にねじ止めされた断面略コ字状の金属製の部材であり、ユニット１００は、所定の方向に押し入れて嵌め込まれる。ユニット１００が枠体２００に嵌め込まれると、ユニット支持手段３００がユニット１００を枠体２００に支持する。
【００２２】
本例のユニット支持手段３００は、枠体２００に対して上下方向にスライド可能に設けられたフック３１０と、ユニット１００に設けられたフック係止部３２０と、ユニット１００の前方側から操作される操作部３３０とを備えている。
【００２３】
フック３１０は、複数の鉤爪３１１を有する金属製の部材からなり、フック係止部３２０には、鉤爪３１１を挿入して係止される。フック係止部３２０は、ユニット１００のケース背面に設けられた孔部である。また、枠体２００には、鉤爪３１１を貫通する孔部２１０を設けている。尚、フック３１０には長孔を設けるとともに、枠体２００にはボスを設けており、フック３１０は、長孔にボスを保持することにより、枠体２００に対してスライド可能となっている。そして、ユニット支持手段３００によるユニット１００の支持は、操作部３３０を操作することにより解除される。
【００２４】
また、当該フック３１０は、弾性体を収納したピストン３４０にて上方に付勢されており、ユニット１００を枠体２００に嵌め込む際には、鉤爪３１１に形成されたテーパがフック係止部３２０と当接し、強制的に一旦押し下げられる。
【００２５】
操作部３３０は、フック３１０をスライドさせるレバー３３１をパチンコ台Ｐ及びユニット１００の隙間に配置してなるものである。ユニット１００のケースには、所要の隙間を構成する凹部１０１を設けている。
【００２６】
当該操作部３３０は、具体的には、枠体２００にねじ止めされた第１部材３３２と、第１部材３３２に軸支されたレバー３３１と、レバー３３１とリンクして第１部材３３２に対して上下移動する第２部材３３３とを備え、レバー３３１を押し上げると、第２部材３３３がフック３１０を下方に押し下げ、フック３１０がフック係止部３２０から外脱する構成となっている。第１部材３３２には、レバー３３１を軸支する支軸が設けられている。また、第１部材３３２にはボスを設けるとともに、第２部材３３３には長孔を設けており、第２部材３３３は、長孔にボスを保持することにより、第１部材３３２に対して上下移動可能となっている。これらのレバー３３１、第１部材３３２、及び第２部材３３３は、それぞれ金属製のプレートを成形して作成されている。
【００２７】
更に、本例の場合、ユニット１００は、不図示の弾性体を圧縮しつつ枠体２００に嵌め込まれており、フック３１０がフック係止部３２０から外脱すると、その弾性体の力で前方に倒れるように押し出される。
【００２８】
以上の構成によると、ユニット１００は、ユニット１００の前方側から操作部３３０を操作して取り外される。また、ユニット１００のケースには、所要の隙間を構成する凹部１０１を設けており、操作部３３０の操作は、凹部１０１の隙間にドライバー等の工具を差し込んで行う。
【００２９】
尚、フック３１０の要所には突片３５０を設けており、ユニット１００は、ユニット１００の後ろに手を伸ばし、この突片３５０を手動で操作して取り外すことも可能である。
【００３０】
以上説明したように、本例の遊技媒体貸出し装置は、パチンコ台の脇に設けられたユニットを簡単に取り外すことができるものであり、パチンコの玉貸機として好適に利用することができる。
【００３１】
また、ユニットの前方側から操作部を操作して枠体に対するユニットの支持を解除する本例の構成は、例えば図６に示すように、スロットマシン台Ｓの脇にメダルを貸出すユニット１００を設けてなるメダル貸機にも応用することが可能である。
【００３２】
【発明の効果】
本願第１請求項に記載した発明は、遊技台の脇に遊技媒体を貸出すユニットを設けてなる遊技媒体貸出し装置において、前記ユニットを嵌め込む枠体と、前記枠体に対して前記ユニットを着脱可能に支持するユニット支持手段とを備え、前記ユニット支持手段は、前記ユニットの前方側から操作される操作部を備え、前記ユニットの支持は、前記操作部を操作することにより解除されるものであり、更に前記ユニット支持手段は、前記枠体に対してスライド可能に設けられたフックと、前記ユニットに設けられたフック係止部とを備えるとともに、前記操作部は、前記フックをスライドさせるレバーを前記遊技台及び前記ユニットの隙間に配置してなる遊技媒体貸出し装置であり、このような構成によると、遊技台の脇に設けられたユニットを簡単に取り外すことができる。従って、ユニットを取り外す作業は容易化され、メンテナンス作業の効率向上が達成される。
【００３３】
更に、本願発明は、前記ユニット支持手段は、前記枠体に対してスライド可能に設けられたフックと、前記ユニットに設けられたフック係止部とを備えるとともに、前記操作部は、前記フックをスライドさせるレバーを前記遊技台及び前記ユニットの隙間に配置してなる構成の遊技媒体貸出し装置であり、このような構成によると、操作部は合理的に構成することができる。
【図面の簡単な説明】
【図１】  本発明の具体例に係り、パチンコ台及びユニットを示す正面図である。
【図２】  本発明の具体例に係り、ユニットを枠体に嵌め込んだ状態を示す側面図である。
【図３】  本発明の具体例に係り、枠体に対するユニットの支持を解除した状態を示す側面図である。
【図４】    本発明の具体例に係り、フック及びフック係止部を示す説明図である。
【図５】    本発明の具体例に係り、操作部を示す説明図である。
【図６】  本発明の具体例に係り、スロットマシン台及びユニットを示す正面図である。
【符号の説明】
１      遊技媒体貸出し装置
１００      ユニット
１０１      凹部
１１０      ノズル
１２０      液晶テレビ
２００      枠体
２１０      孔部
３００      ユニット支持手段
３１０      フック
３１１      鉤爪
３２０      フック係止部
３３０      操作部
３３１      レバー
３３２      第１部材
３３３      第２部材
３４０      ピストン
３５０      突片
４００      供給手段
５００      コネクタ
Ｐ      パチンコ台
Ｓ      スロットマシン台
【図１】
0003946004.tif 000002
【図２】
0003946004.tif 000003
【図３】
0003946004.tif 000004
【図４】
0003946004.tif 000005
【図５】
0003946004.tif 000006
【図６】
0003946004.tif 000007